(57)【要約】      （修正有）【課題】異なる伝送速度のＵＳＢ２．０コネクタ及びＵＳＢ３．０コネクタを具え、端子を順調にかみ合わせて、接触部が逆方向に持ち上げられるのを防止するマイクロ化ＵＳＢコネクタを提供する。【解決手段】マイクロ化ＵＳＢコネクタは、基板３００、複数の第１端子３１０、第１ケース３２０、複数の第２端子３３０、及び第２ケース３４０を包含する。基板は、その上に複数の第１コンタクトパッド３０１と複数の第２コンタクトパッド３０２を具える。複数の第１端子は、各端子の一端に接触部３１２を形成するフックを具える。第１ケースは、複数の開溝３２１を有し、且つ各開溝の後方に隔柱３２２を具える。第２ケースは、複数の第１端子及び第２端子を露出させる開放部３４１を具える。マイクロ化ＵＳＢコネクタはＵＳＢ２．０プラグ或いはＵＳＢ３．０プラグとの接続に供される。【選択図】図６
0003184995.tif 000002
【実用新案登録請求の範囲】
【請求項１】
マイクロ化USBコネクタにおいて、
基板であって、その上に複数の第１コンタクトパッド及び複数の第２コンタクトパッドを具えた、上記基板と、
複数の第１端子であって、そのうち、各一つの第１端子の一端はそれぞれ該第１コンタクトパッド上に固定され、且つ該第１端子の他端は下向きに折り曲げられて折角を形成した後に、その端部がさらに上向きに折り曲げられてフックが形成されて、接触部が形成される、上記複数の第１端子と、
複数の第２端子であって、そのうち、各一つの第２端子の一端はそれぞれ該第１端子と交錯するよう配置された後に、該第２コンタクトパッド上に固定される、上記複数の第２端子と、
ケースであって、開放部を具え、該複数の第１端子及び該複数の第２端子を露出させ、且つ該ケースの前端に案内角があり、以てマイクロ化USBコネクタを形成する、上記ケースと、
を包含することを特徴とする、マイクロ化USBコネクタ。
【請求項２】
請求項１記載のマイクロ化USBコネクタにおいて、該基板はチップオンボード（ＣＯＢ）或いはプリント基板とされ、該複数の第１コンタクトパッド及び該複数の第２コンタクトパッドは交錯するよう配置され、且つ該案内角は３０度とされることを特徴とする、マイクロ化USBコネクタ。
【請求項３】
請求項１記載のマイクロ化USBコネクタにおいて、該複数の第１コンタクトパッド及び該複数の第１端子の数量は、いずれも５個とされ、結合後にUSB3.0コネクタを形成し、該複数の第２コンタクトパッド、該複数の第２端子の数量はいずれも４個とされ、USB2.0コネクタを構成することを特徴とする、マイクロ化USBコネクタ。
【請求項４】
請求項１記載のマイクロ化USBコネクタにおいて、該基板上にさらにUSBコントローラー及び少なくとも一つのフラッシュメモリが設けられ、それぞれ該複数の第１コンタクトパッド及び該複数の第２コンタクトパッドに接続されることを特徴とする、マイクロ化USBコネクタ。
【請求項５】
請求項１記載のマイクロ化USBコネクタにおいて、該複数の第１端子及び該複数の第２端子は表面実装技術によりそれぞれ該複数の第１コンタクトパッド及び該複数の第２コンタクトパッド上にハンダ付けされ、このほか、各一つの該第２端子の他端にフランジが設けられ、該第２端子の接触がより確実とされることを特徴とする、マイクロ化USBコネクタ。
【請求項６】
請求項１記載のマイクロ化USBコネクタにおいて、該ケースにさらに複数の割り溝が設けられ、該割り溝は該開放部の後側に位置して、該第１端子の弾性空間を増加することを特徴とする、マイクロ化USBコネクタ。
【請求項７】
請求項６記載のマイクロ化USBコネクタにおいて、該ケースにさらに凹溝が設けられ、該凹溝は該割り溝の後側上方に設けられることを特徴とする、マイクロ化USBコネクタ。
【請求項８】
請求項７記載のマイクロ化USBコネクタにおいて、さらに金属ケースが設けられ、該金属ケースは中空とされ、該基板及び該ケースを収容し、且つ該金属ケースの該凹溝に対応する部分に凸塊が設けられて該凹溝との結合に供されることを特徴とする、マイクロ化USBコネクタ。
【請求項９】
請求項７記載のマイクロ化USBコネクタにおいて、該基板の前端にさらに延伸片が設けられ、該ケースの該開放部の下方両側にそれぞれ固定ブロックが設けられ、且つ該固定ブロックの上方と該ケースの間にギャップがあり、これにより該基板と該ケースが結合される時、該延伸片の両側が該固定ブロックのギャップ中に固定されることを特徴とする、マイクロ化USBコネクタ。
【請求項１０】
マイクロ化USBコネクタにおいて、
基板であって、その上に複数の第１コンタクトパッド及び複数の第２コンタクトパッドを具えた、上記基板と、
複数の第１端子であって、各該第１端子の一端はそれぞれ該第１コンタクトパッド上に固定され、且つ該第１端子の他端は下向きに折り曲げられて折角が形成された後に、その端部にさらに開孔が設けられ、且つ該開孔のある一端がさらに上向きに折られてフックが形成され、こうして接触部が形成された、上記複数の第１端子と、
第１ケースであって、複数の開溝を具え、且つ各該開溝の後方に隔柱を具え、該開孔が該第１端子の接触部の収容と露出に供される、上記第１ケースと、
複数の第２端子であって、各該第２端子の一端はそれぞれ二つの該隔柱間に通された後に、第２コンタクトパッド上に固定される、上記複数の第２端子と、
第２ケースであって、該第１ケース上に閉じ合わされ、それは該複数の第１端子及び該複数の第２端子を露出させる開放部を有し、且つ前端に案内角を有し、こうしてマイクロ化USBコネクタを形成する、上記第２ケースと、
を包含することを特徴とする、マイクロ化USBコネクタ。
【請求項１１】
請求項１０記載のマイクロ化USBコネクタにおいて、該基板はチップオンボード（ＣＯＢ）或いはプリント基板とされ、該複数の第１コンタクトパッド及び該複数の第２コンタクトパッドは交錯するよう配置され、且つ該案内角は３０度とされることを特徴とする、マイクロ化USBコネクタ。
【請求項１２】
請求項１０記載のマイクロ化USBコネクタにおいて、該複数の第１コンタクトパッド、複数の開溝、複数の隔柱及び複数の第１端子の数量はいずれも５個とされ、結合後にUSB3.0コネクタを形成し、該複数の第２コンタクトパッド、該複数の第２端子の数量はいずれも４個とされ、USB2.0コネクタを構成することを特徴とする、マイクロ化USBコネクタ。
【請求項１３】
請求項１０記載のマイクロ化USBコネクタにおいて、該基板上にさらにUSBコントローラー及び少なくとも一つのフラッシュメモリが設けられ、それぞれ該複数の第１コンタクトパッド及び該複数の第２コンタクトパッドに接続されることを特徴とする、マイクロ化USBコネクタ。
【請求項１４】
請求項１０記載のマイクロ化USBコネクタにおいて、該複数の第１端子及び該複数の第２端子は表面実装技術によりそれぞれ該複数の第１コンタクトパッド及び該複数の第２コンタクトパッド上にハンダ付けされることを特徴とする、マイクロ化USBコネクタ。
【請求項１５】
請求項１０記載のマイクロ化USBコネクタにおいて、該第１ケースの前端両側に嵌合ブロックが設けられ、且つ該第２ケースの前端両側の該嵌合ブロックに対応する部分に、それぞれ嵌合溝が設けられて該嵌合ブロックと嵌合されることを特徴とする、マイクロ化USBコネクタ。
【請求項１６】
請求項１０記載のマイクロ化USBコネクタにおいて、該第２ケースにさらに凹溝が設けられ、該凹溝は該開放部の後側上方に位置することを特徴とする、マイクロ化USBコネクタ。
【請求項１７】
請求項１６記載のマイクロ化USBコネクタにおいて、さらに金属ケースが設けられ、該金属ケースは中空とされ、該基板、該第１ケース及び該第２ケースを収容し、且つ該金属ケースの該凹溝に対応する部分に固定ブロックが設けられて、該凹溝との結合に供されることを特徴とする、マイクロ化USBコネクタ。
【考案の詳細な説明】
【技術分野】
【０００１】
本考案は一種のマイクロ化USBコネクタに係り、特に、同時にUSB2.0協定とUSB3.0協定をサポートするマイクロ化USBコネクタに関する。
【背景技術】
【０００２】
現在、USBインタフェースを具えた周辺装置は、プラグアンドプレイの機能を有するため、販売以来、消費者の熱烈な歓迎を受けている。USB2.0協定は、４８０Ｍバイト／秒もの伝送速度を提供できる。ただし、マルチメディア技術の発展に伴い、USB2.0協定下で２５ＧＢのマルチメディアファイルをダウンロードすると、十数分もの時間がかかり、消費者の要求を満足することはできない。このため、終にUSB3.0協定が発表され、USB3.0協定下では、４．８Ｇバイト／秒の伝送速度を提供できるようになった。これにより、２５ＧＢのマルチメディアファイルをダウンロードするのに、わずかにそれ以前の１／１０の時間しかかからなくなった。
【０００３】
ただし、USB2.0協定は現在の主流であり、大部分のUSBインタフェースの周辺装置はUSB2.0協定のみサポートしている。このため、いかに同時にUSB2.0協定及びUSB3.0協定をサポートするコネクタを設計するかが、実に重要な課題となっている。
このほか、現在、周知の雄USBコネクタは、その端子のコネクタの接続口に近い一端が平らに整えられた状態を呈する。これにより、雌USB2.0或いはUSB3.0コネクタと接続する時、雌USBコネクタの端子と雄USBコネクタ中の端子は逆方向の噛み合いを呈する。これにより、雄USBコネクタ中の端子が押し上げられて、コネクタの損壊を形成しやすい。
【考案の概要】
【考案が解決しようとする課題】
【０００４】
上述の周知のUSBコネクタの欠点に対して、本考案は一種のマイクロ化USBコネクタを提供して、上述の欠点を改善する。
【０００５】
本考案の一つの目的は、一種のマイクロ化USBコネクタを提供することにあり、それは異なる伝送速度のUSB2.0コネクタ及びUSB3.0コネクタを具え、異なる伝送速度の要求に対応するコネクタであるものとする。
【０００６】
本考案のもう一つの目的は、一種のマイクロ化USBコネクタを提供することにあり、それは、その第１端子の一端にフックがあり、該フックが接触部を形成し、端子を順調にかみ合わせて、接触部が逆方向に持ち上げられるのを防止するものとする。
【課題を解決するための手段】
【０００７】
上述の目的を達成するため、本考案のマイクロ化USBコネクタは、
基板であって、その上に複数の第１コンタクトパッド及び複数の第２コンタクトパッドを具えた、上記基板と、
複数の第１端子であって、各該第１端子の一端はそれぞれ該第１コンタクトパッド上に固定され、且つ該第１端子の他端は下向きに折り曲げられて折角が形成された後に、その端部がさらに上向きに折られてフックが形成され、こうして接触部が形成された、上記複数の第１端子と、
複数の第２端子であって、各該第２端子の一端は該第１端子と交錯するよう配置された後に、該第２コンタクトパッド上に固定される、上記複数の第２端子と、
ケースであって、該複数の第１端子及び該複数の第２端子を露出させる開放部を有し、且つ前端に案内角を有し、マイクロ化USBコネクタを形成する、上記ケースと、
を包含する。
【０００８】
上述の目的を達成するため、本考案のマイクロ化USBコネクタは、
基板であって、その上に複数の第１コンタクトパッド及び複数の第２コンタクトパッドを具えた、上記基板と、
複数の第１端子であって、各該第１端子の一端はそれぞれ該第１コンタクトパッド上に固定され、且つ該第１端子の他端は下向きに折り曲げられて折角が形成された後に、その端部にさらに開孔が設けられ、且つ該開孔のある一端がさらに上向きに折られてフックが形成され、こうして接触部が形成された、上記複数の第１端子と、
第１ケースであって、複数の開溝を具え、且つ各該開溝の後方に隔柱を具え、該開孔が該第１端子の接触部の収容と露出に供される、上記第１ケースと、
複数の第２端子であって、各該第２端子の一端はそれぞれ二つの該隔柱間に通された後に、第２コンタクトパッド上に固定される、上記複数の第２端子と、
第２ケースであって、該第１ケース上に閉じ合わされ、それは該複数の第１端子及び該複数の第２端子を露出させる開放部を有し、且つ前端に案内角を有し、こうしてマイクロ化USBコネクタを形成する、上記第２ケースと、
を包含する。
【考案の効果】
【０００９】
本考案のマイクロ化USBコネクタは、異なる伝送速度のUSB2.0コネクタ及びUSB3.0コネクタを具え、異なる伝送速度の要求に対応する。
【００１０】
本考案のマイクロ化USBコネクタは、その第１端子の一端にフックがあり、該フックが接触部を形成し、端子を順調にかみ合わせて、接触部が逆方向に持ち上げられるのを防止する。
【図面の簡単な説明】
【００１１】
【図１】本考案の好ましい実施例のマイクロ化USBコネクタの分解図である。
【図２】本考案の好ましい実施例の複数の第１端子及び複数の第２端子と基板の組合せ表示図である。
【図３】本考案の好ましい実施例のケースと基板の組合せ表示図である。
【図４】本考案の好ましい実施例の第１端子と第２端子が組み合わされた後に同一平面に位置する表示図である。
【図５】本考案の好ましい実施例のマイクロ化USBコネクタの組合せ表示図である。
【図６】本考案の別の実施例のマイクロ化USBコネクタの分解図である。
【図７】本考案の別の実施例の複数の第１端子、第１ケース及び複数の第２端子及び基板の組合せ表示図である。
【図８】本考案の別の実施例の第１端子と第２端子が組合せ後に異なる平面に位置する表示図である。
【図９】本考案の別の実施例のマイクロ化USBコネクタの組合せ表示図である。
【考案を実施するための形態】
【００１２】
本考案の技術内容、構造特徴、達成する目的を詳細に説明するため、以下に実施例を挙げ並びに図面を組み合わせて説明する。
【００１３】
図１から図５を参照されたい。そのうち、図１は本考案の好ましい実施例のマイクロ化USBコネクタの分解図である。図２は本考案の好ましい実施例の複数の第１端子及び複数の第２端子と基板の組合せ表示図である。図３は本考案の好ましい実施例のケースと基板の組合せ表示図である。図４は本考案の好ましい実施例の第１端子と第２端子が組み合わされた後に同一平面に位置する表示図である。図５は本考案の好ましい実施例のマイクロ化USBコネクタの組合せ表示図である。
【００１４】
図示されるように、本考案の好ましい実施例のマイクロ化USBコネクタは、基板２００、複数の第１端子２１０、複数の第２端子２３０、及びケース２４０を組み合わせてなる。
【００１５】
そのうち、該基板２００はたとえば、チップオンボード（Ｃｈｉｐ−Ｏｎ−Ｂｏａｒｄ，ＣＯＢ）基板或いはプリント基板とされ、本実施例ではＣＯＢ基板を例として説明するが、これに限定されるわけではない。ＣＯＢ技術は厚さが薄く、線路が密集し面積が小さい利点を有し、これにより、ＬＣＤ駆動チップ或いはＮＡＮＤ型フラッシュメモリのパッケージにおいて非常に歓迎されている。
【００１６】
該基板２００上にはそれぞれ該基板２００上において露出する複数の第１コンタクトパッド２０１及び複数の第２コンタクトパッド２０２がある。且つ該複数の第１コンタクトパッド２０１及び複数の第２コンタクトパッド２０２は、たとえば、これに限定されるわけではないが、交錯配置を呈する。該複数の第１コンタクトパッド２０１及び複数の第２コンタクトパッド２０２は、それぞれ該複数の第１端子２１０及び複数の第２端子２３０にハンダ付けされる。そのうち、該複数の第１コンタクトパッド２０１の数量は、これに限定されるわけではないが、たとえば５個とされ、それはそれぞれＳｔｄＡ ＳＳＲＸ−、ＳｔｄＡ ＳＳＲＸ＋、ＧＮＤ ＤＲＡＩＮ、ＳｔｄＡ ＳＳＴＸ−、ＳｔｄＡ ＳＳＴＸ＋の５個のUSB3.0規格の信号を伝送でき、該複数の第２コンタクトパッド２０２の数量は、これに限定されるわけではないが、たとえば４個とされ、それぞれＶBUS、Ｄ−、Ｄ＋、及びＧＮＤの四つのUSB2.0規格の信号を伝送できる。
【００１７】
該複数の第１端子２１０中の各一つの第１端子２１０の一端は、それぞれ該第１コンタクトパッド２０１上に固定され、且つ該第１端子２１０の他端は下向きに折り曲げられて折角を形成した後、その端部がさらに上向きに折り曲げられてフックを形成し、こうして接触部２１１を形成する。そのうち、該複数の第１端子２１０の数量は、これに限定されるわけではないが、たとえば５個とされる。
【００１８】
該複数の第２端子２３０中の各一つの第２端子２３０の一端は、それぞれ該第１端子２１０と交錯するよう配置された後に、該第２コンタクトパッド２０２上に固定される。そのうち、該複数の第２端子２３０の数量は、これに限定されるわけではないが、たとえば４個とされる。このほか、各一つの第２端子２３０の他端上に、フランジ２３１が設けられ、これにより第２端子２３０の接触がより確実とされる。
【００１９】
該ケース２４０は開放部２４１を具え、該複数の第１端子２１０及び第２端子２３０を露出させて、以てマイクロ化USBコネクタを形成する。そのうち、該複数の第１コンタクトパッド２０１及び複数の第１端子２１０の数量は、いずれも５個とされ、結合後に、USB3.0コネクタを構成できる。該複数の第２コンタクトパッド２０２及び複数の第２端子２３０の数量はいずれも４個とされ、結合後にUSB2.0コネクタを構成できる。これにより、本考案のマイクロ化USBコネクタは、異なる伝送速度のUSB2.0コネクタ及びUSB3.0コネクタを具え、異なる伝送速度の要求に対応する。
【００２０】
そのうち、該ケース２４０の前端には案内角２４２が設けられ、且つ該案内角２４２は、これに限定されるわけではないが、たとえば３０度とされる。このほか、ケース２４０上にさらに複数の割り溝２４３が設けられ、それは開放部２４１の後側に設けられ、その数量は該複数の第１端子２１０の数量と同じであり、該割り溝２４３は該第１端子２１０の弾性空間を増加する。
【００２１】
このほか、該ケース２４０上にさらに凹溝２４４が設けられ、該凹溝２４４は割り溝２４３の後側上方に設けられる。
【００２２】
このほか、本考案のマイクロ化USBコネクタは該基板２００上にさらにUSBコントローラー２５０及び少なくとも一つのフラッシュメモリ２６０を具え、それらはそれぞれ該複数の第１コンタクトパッド２０１及び複数の第２コンタクトパッド２０２に接続され、該USBコントローラー２５０及びフラッシュメモリ２６０はＣＯＢ技術で該基板２００上にパッケージされ、それは周知の技術であり、本考案の重点ではないため、ここでは詳しく説明を行わない。
【００２３】
このほか、本考案のマイクロ化USBコネクタはさらに、金属ケース２７０を具え、該金属ケース２７０は中空とされて、該基板２００及びケース２４０を収容し、且つ該金属ケース２７０上の、該凹溝２４４に対応する部分には固定ブロック２７１があり、該固定ブロック２７１は該凹溝２４４との結合に用いられる。
【００２４】
図３に示されるように、本考案の基板２００の前端にはさらに延伸片２０３が設けられ、且つ該ケース２４０は該開放部２４１の下方両側位置に、それぞれ固定ブロック２４５が設けられ、且つ該固定ブロック２４５の上方と該ケース２４０の間には、ギャップ２４６があり、これにより、該基板２００と該ケース２４０が結合される時、該延伸片２０３の両側が、該固定ブロック２４５上方のギャップ２４６中にスライド式に挿入されて固定される。
【００２５】
図４に示されるように、本考案の第１端子２１０は組合せ後に、第２端子２３０と同一平面に位置する。
【００２６】
図５に示されるように、製造時には、まず、該複数の第１端子２１０及び複数の第２端子２３０がそれぞれ交錯方式で配列された後に、表面実装技術で該第１コンタクトパッド２０１及び第２コンタクトパッド２０２上にハンダ付けされる。その後、さらに該ケース２４０で該複数の第１端子２１０及び複数の第２端子２３０上が閉じ合わされ、これにより該複数の第１端子２１０及び複数の第２端子２３０が該開放部２４１より露出する。続いて、該基板２００の延伸片２０３の両側が該固定ブロック２４５の上方のギャップ２４６にスライド式に挿入されて固定される。最後に、該金属ケース２７０が該基板２００とケース２４０の外側に嵌合されて、該固定ブロック２７１と該凹溝２４４が結合され、こうして、本考案のマイクロ化USBコネクタが形成される。
【００２７】
こうして、本考案のマイクロ化USBコネクタ上の５個の第１端子２１０がUSB3.0コネクタを形成し、４個の第２端子２３０がUSB2.0コネクタを形成し、それぞれUSB3.0プラグ或いはUSB2.0プラグの挿入に供される。
【００２８】
このほか、該接触部２１１はフックを有するため、雌コネクタと接続される時、雌コネクタの端子（図示せず）は順方向に該第１端子２１０と噛み合い、これにより接触部２１１が逆方向に持ち上げられるのを防止する。これにより、本考案のUSBコネクタは周知の技術のUSBコネクタに較べ進歩性を具備している。
【００２９】
図６から図９を参照されたい。そのうち、図６は本考案の別の実施例のマイクロ化USBコネクタの分解図である。図７は本考案の別の実施例の複数の第１端子、第１ケース及び複数の第２端子及び基板の組合せ表示図である。図８は本考案の別の実施例の第１端子と第２端子が組合せ後に異なる平面に位置する表示図である。図９は本考案の別の実施例のマイクロ化USBコネクタの組合せ表示図である。
【００３０】
図示されるように、本考案の別の実施例のマイクロ化USBコネクタは、基板３００、複数の第１端子３１０、第１ケース３２０、複数の第２端子３３０、及び第２ケース３４０が組み合わされてなる。
【００３１】
そのうち、該基板３００は、これに限定されるわけではないが、たとえばチップオンボード（Ｃｈｉｐ−Ｏｎ−Ｂｏａｒｄ，ＣＯＢ）基板或いはプリント基板とされ、本実施例ではＣＯＢ基板を例として説明するが、これに限定されるわけではない。ＣＯＢ技術は厚さが薄く、線路が密集し面積が小さい利点を有し、これにより、ＬＣＤ駆動チップ或いはＮＡＮＤ型フラッシュメモリのパッケージにおいて非常に歓迎されている。
【００３２】
該基板３００上にはそれぞれ該基板３００上において露出する複数の第１コンタクトパッド３０１及び複数の第２コンタクトパッド３０２がある。且つ該複数の第１コンタクトパッド３０１及び複数の第２コンタクトパッド３０２は、たとえば、これに限定されるわけではないが、交錯配置を呈する。該複数の第１コンタクトパッド３０１及び複数の第２コンタクトパッド３０２は、それぞれ該複数の第１端子３１０及び複数の第２端子３３０にハンダ付けされる。そのうち、該複数の第１コンタクトパッド３０１の数量は、これに限定されるわけではないが、たとえば５個とされ、それはそれぞれＳｔｄＡ ＳＳＲＸ−、ＳｔｄＡ ＳＳＲＸ＋、ＧＮＤ ＤＲＡＩＮ、ＳｔｄＡ ＳＳＴＸ−、ＳｔｄＡ ＳＳＴＸ＋の５個のUSB3.0規格の信号を伝送でき、該複数の第２コンタクトパッド３０２の数量は、これに限定されるわけではないが、たとえば４個とされ、それぞれＶBUS、Ｄ−、Ｄ＋、及びＧＮＤの四つのUSB2.0規格の信号を伝送できる。
【００３３】
該複数の第１端子３１０中の各一つの第１端子３１０の一端は、それぞれ該第１コンタクトパッド３０１上に固定され、且つ該第１端子３１０の他端は下向きに折り曲げられて折角を形成した後、その端部がさらに上向きに折り曲げられてフックを形成し、その端部にさらに開孔３１１を具え、且つ該開孔３１１の一端が上向きに延伸されてフックを有し、こうして接触部３１２を形成する。そのうち、該複数の第１端子３１０の数量は、これに限定されるわけではないが、たとえば５個とされる。
【００３４】
該第１ケース３２０は絶縁材料で形成され、これに限定されるわけではないが、たとえばプラスチックで形成され、それは複数の開溝３２１を具え、且つ各開溝３２１の後方には隔柱３２２を有する。該開溝３２１は第１端子３１０の接触部３１２を収容し露出させる。そのうち、該複数の開溝３２１及び隔柱３２２の数量は、これに限定されるわけではないが、たとえば５個とされる。このほか、該第１ケース３２０の前端両側に嵌合ブロック３２３が設けられる。
【００３５】
該複数の第２端子３３０の各一つの第２端子３３０の一端は、それぞれ二つの隔柱３２２間に通された後に、該第２コンタクトパッド３０２上に固定される。そのうち、該複数の第２端子３３０の数量は、これに限定されるわけではないが、たとえば４個とされる。このほか、各第２端子３３０の他端には、フランジ３３１が設けられて、該第２端子３３０の接触をさらに確実とする。
【００３６】
該第２ケース３４０は該第１ケース３２０上に閉じ合わされ、該第２ケース３４０は開放部３４１を具え、複数の第１端子３１０及び第２端子３３０を露出させて、以てマイクロ化USBコネクタを形成する。そのうち、該第２ケース３４０の前端両側の、該嵌合ブロック３２３に対応する部分に、それぞれ嵌合溝３４２が設けられ、該嵌合溝３４２に該嵌合ブロック３２３が嵌合される。
【００３７】
該複数の第１コンタクトパッド３０１、複数の開溝３２１、複数の隔柱３２２及び複数の第１端子３１０の数量は、いずれも５個とされ、結合後にUSB3.0コネクタを構成できる。該複数の第２コンタクトパッド３０２及び複数の第２端子３３０の数量はいずれも４個とされ、結合後にUSB2.0コネクタを構成できる。これにより、本考案のマイクロ化USBコネクタは、異なる伝送速度のUSB2.0コネクタ及びUSB3.0コネクタを具え、異なる伝送速度の要求に対応する。
【００３８】
そのうち、該第２ケース３４０の前端には案内角３４３が設けられ、且つ該案内角３４３は、これに限定されるわけではないが、たとえば３０度とされる。このほか、第２ケース３４０上にさらに複数の凹溝３４４が設けられ、それは開放部３４１の後側上方に設けられる。
【００３９】
このほか、本考案のマイクロ化USBコネクタの該基板３００上にはさらにUSBコントローラー３５０及び少なくとも一つのフラッシュメモリ３６０を具え、それらはそれぞれ該複数の第１コンタクトパッド３０１及び複数の第２コンタクトパッド３０２に接続され、該USBコントローラー３５０及びフラッシュメモリ３６０はＣＯＢ技術で該基板３００上にパッケージされ、それは周知の技術であり、本考案の重点ではないため、ここでは詳しく説明を行わない。
【００４０】
このほか、本考案のマイクロ化USBコネクタはさらに、金属ケース３７０を具え、該金属ケース３７０は中空とされて、該基板３００及び第１ケース３２０及び第２ケース３４０を収容し、且つ該金属ケース２７０上の、該凹溝３４４に対応する部分には固定ブロック３７１があり、該固定ブロック３７１は該凹溝３４４との結合に用いられる。
【００４１】
図８に示されるように、本考案の第１端子３１０は組合せ後に、第２端子３３０と異なる平面に位置する。
【００４２】
図９に示されるように、製造時には、まず、該複数の第１端子３１０及び第１ケース３２０が一体成形方式で製造され、さらに、表面実装技術により該第１コンタクトパッド３０１上にハンダ付けされる。さらに複数の第２端子３３０が交錯方式で二つの隔柱３２２の間に配列された後に、表面実装技術で第２コンタクトパッド３０２上にハンダ付けされる。その後、さらに該第２ケース３４０が該第１ケース３２０の上に閉じ合わされて、該複数の第１端子３１０及び複数の第２端子３３０が該開放部３４１より露出させられる。最後に、該金属ケース３が、該基板３００、該第１ケース３２０及び第２ケース３４０の外側に嵌合されて、本考案のマイクロ化USBコネクタが形成される。こうして、本考案のマイクロ化USBコネクタ上の第１端子３１０がUSB3.0コネクタを形成し、４個の第２端子３３０がUSB2.0コネクタを形成し、それぞれUSB3.0プラグ或いはUSB2.0プラグの挿入に供される。
【００４３】
このほか、該接触部３１２はフックを有するため、雌コネクタと接続される時、雌コネクタの端子（図示せず）は順方向に該第１端子３１０と噛み合い、これにより接触部３１２が逆方向に持ち上げられるのを防止する。これにより、本考案のUSBコネクタは周知の技術のUSBコネクタに較べ進歩性を具備している。
【００４４】
総合すると、本考案のマイクロ化USBコネクタの実施により、その具備する異なる伝送速度のUSB2.0コネクタ及びUSB3.0コネクタを以て、異なる伝送速度の要求に対応する。及び、第１端子の一端にフックを具備して接触部を形成し、端子を順方向にかみ合わせるため、接触部が逆方向に持ち上げられるのを防止する長所を有する。これにより、本考案は確実に周知のUSBコネクタに較べて進歩性を有する。
【００４５】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求の範囲のカバーする範囲内に属するものとする。
【００４６】
総合すると、本考案はその目的、手段、作用効果のいずれにおいても、周知の技術特徴とは異なっており、且つ新規な創作であって実用性を有し、実用新案登録の要件を満たしており、ここに実用新案登録出願を行う次第です。
【符号の説明】
【００４７】
２００  基板
２０１  第１コンタクトパッド
２０２  第２コンタクトパッド
２０３  延伸片
２１０  第１端子
２１１  接触部
２３０  第２端子
２３１  フランジ
２４０  ケース
２４１  開放部
２４２  案内角
２４３  割り溝
２４４  凹溝
２４５  固定ブロック
２４６  ギャップ
２５０  USBコントローラー
２６０  フラッシュメモリ
２７０  金属ケース
２７１  固定ブロック
３００  基板
３０１  第１コンタクトパッド
３０２  第２コンタクトパッド
３１０  第１端子
３１１  開孔
３１２  接触部
３２０  第１ケース
３２１  開溝
３２２  隔柱
３２３  嵌合ブロック
３３０  第２端子
３３１  フランジ
３４０  第２ケース
３４１  開放部
３４２  嵌合溝
３４３  案内角
３４４  凹溝
３５０  USBコントローラー
３６０  フラッシュメモリ
３７０  金属ケース
３７１  固定ブロック
【図１】
0003184995.tif 000003
【図２】
0003184995.tif 000004
【図３】
0003184995.tif 000005
【図４】
0003184995.tif 000006
【図５】
0003184995.tif 000007
【図６】
0003184995.tif 000008
【図７】
0003184995.tif 000009
【図８】
0003184995.tif 000010
【図９】
0003184995.tif 000011